(57)【特許請求の範囲】
【請求項１】
ライター本体の上部にノズルキャップが取り付けられるライターにおいて、
前記ノズルキャップの両側壁に設けられ、前記ライター本体の上部に突設された支柱に形成された係合受け部に係合可能な抜け止め用の係合部と、該係合部近傍における前記側壁の一部に設けられ、前記ライター本体の上端内縁に係止して側壁の拡開変形を阻止する係止部とを備え、
前記ライター本体上部への前記ノズルキャップの取付時には、該ノズルキャップの両側壁の前記係止部がライター本体の上端縁部に係止した後に、前記ノズルキャップ側壁が拡開変形して前記係合部が前記係合受け部に係合することを特徴とするライターのノズルキャップ外れ防止構造。
【請求項２】
前記ノズルキャップは、その両側壁の端縁を屈曲して内方に突出させた左右フランジ部と、該左右フランジ部の下端部に設けられライター本体の上端部の内側に延びる下端係止部とをそれぞれ備え、該下端係止部のライター本体上端内面への係止により前記ノズルキャップの拡開変形が阻止されることを特徴とする請求項１に記載のライターのノズルキャップ外れ防止構造。
【発明の詳細な説明】
【０００１】
【発明の属する技術分野】
本発明は、ガス噴出ノズル等の燃料を燃焼して炎を発生する着火部を覆うノズルキャップを取り付けるライターにおいて、このノズルキャップが外れるのを防止するノズルキャップ外れ防止構造に関するものである。
【０００２】
【従来の技術】
例えば、ガスライターは噴出ノズルによる着火部から噴出させた燃料ガスに点火機構によって点火し、燃焼させるものであるが、その燃焼において噴出ノズルや炎調整リング等の内部の保護を兼ねると共に、燃焼炎の熱をライター本体に伝達するのを防ぐ断熱作用のために、上記噴出ノズルの周囲を覆うノズルキャップがライター本体の上部に取り付けられている。
【０００３】
従来のライター本体に対するノズルキャップの取付構造は、次のようなものがある。ライター本体の上部には、前部に燃料ガスを噴出するノズル（着火部）が配設され、後部には燃料の噴出および点火操作を行う操作部材が上下動自在に配設され、この上部の中間部には両側の側壁部が上方に延設されて、支柱が形成されている。この支柱の側面には凹状に係合受け部が設けられている。一方、ノズルキャップは、その天面に炎用開口が形成されると共に、プレスによって強制的に楕円筒状に成形することによって、ノズルキャップの両側壁が外側に広がるのが防止される。これに加えて、上記ノズルキャップの天面には、仕切板、操作部材又はヤスリ車の一部に係止する係止部を設けて、ノズルキャップの拡開変形を防止する構造が付設されている。
【０００４】
【発明が解決しようとする課題】
しかして、上記のようなノズルキャップの取付構造では、ライターを使用しようとする際に誤って手から滑って地面に落下させてしまうことがあると、ノズルキャップの天面曲面部が地面に激しく衝突したような場合に、時として前記係合部及び係止部の両方が外れて両側壁が拡開変形してノズルキャップが外れてしまうことがある。
【０００５】
また、使用者がノズルキャップの係合部又は係止部の係合を解除するように、側壁を工具等によって開く方向に変形させてノズルキャップを取り外すことが比較的容易に可能であり、また、取り外したノズルキャップを元通りに装着することも行える。
【０００６】
そして、ノズルキャップをライター本体から取り外した状態では、ノズル機構の調整又は着火部の構造変更によりセット炎長を変更することが可能で、過大な炎長に調整された際には誤使用を招く恐れがある。
【０００７】
そこで本発明はこの点に鑑み、ノズルキャップの横方向の広がりをより確実に防止する構造を付加したライターのノズルキャップ外れ防止構造を提供せんとするものである。
【０００８】
【課題を解決するための手段】
上記課題を解決した本発明のライターのノズルキャップ外れ防止構造は、ライター本体の上部にノズルキャップを取り付けるについて、このノズルキャップの両側壁に設けられ、前記ライター本体の上部に突設された支柱に形成された係合受け部に係合可能な抜け止め用の係合部と、該係合部近傍における前記側壁の一部に設けられ、前記ライター本体の上端内縁に係止して側壁の拡開変形を阻止する係止部とを備え、前記ライター本体上部への前記ノズルキャップの取付時には、該ノズルキャップの両側壁の前記係止部がライター本体の上端縁部に係止した後に、前記ノズルキャップ側壁が拡開変形して前記係合部が前記係合受け部に係合することを特徴とするものである。
【００１０】
一方、前記ノズルキャップには、その両側壁の端縁を屈曲して内方に突出させた左右フランジ部を設け、該左右フランジ部の下端部にライター本体の上端部の内側に下方に延びる係止部をそれぞれ設け、該係止部のライター本体上端内面への係止により前記ノズルキャップの拡開変形を阻止する構造に設けるのが好適である。
【００１１】
【発明の効果】
上記のような本発明によれば、ノズルキャップに設けた係止部がライター本体の上端内側に係止することで、その係止状態の解除が外部からは困難であり、工具等を使用して無理に外そうとするとノズルキャップ又はライター本体が破損してノズルキャップの再装着が不能となり、炎長等の誤調整のままライターが使用されるのが阻止できる。また、上記係止部がライター本体と係止している部分は、ライターの落下によって衝撃を受ける先端部分から離れていることで、その衝撃による変形が少なく外れにくい構造となっている。
【００１２】
【発明の実施の形態】
以下、図面に示す実施の形態に基づいて本発明を詳細に説明する。図１に本例のノズルキャップ外れ防止構造を有するガスライターの要部構造を示し、この図では操作部材を除去した状態を示し、（Ａ）ではノズルキャップを装着する前の状態を、（Ｂ）ではノズルキャップを装着した状態を示している。さらに図２および図３は、順にノズルキャップの装着過程を示している。
【００１３】
ライター１のライター本体２を含む基本構造は、従来公知の構造と同様のものであり、ライター本体２の上部には、前部に燃料ガスを噴出し炎を発生する着火部としてのノズル（支柱の後方に隠れて図示省略）が配設され、中間部の両側には支柱３が上方に延びて形成され、この支柱３の後部側には燃料の噴出および着火操作を行う図示しない操作部材（操作キャップ）が上下動自在に配設されている。そして、上記ノズルの周囲、すなわちライター本体２の前部上方から支柱３の側方を覆うノズルキャップ５が取り付けられる。
【００１４】
なお、ライター本体２は、プラスチック製で内部にブタンガス等の燃料ガスを貯蔵するタンクを備えるとともに、貯蔵された燃料ガスの噴出量を制御する公知のバルブ機構と連通するノズルがライター本体２の上面から上部に突出している。そして、操作部材の押し下げ操作に伴いノズルから燃料ガスを噴出させるものであり、さらに押下げ操作を進めることで点火ユニットを作動して放電点火を行うようになっている。また、前記支柱３には、仕切板が装着されてノズルと操作部材との間が区画される。
【００１５】
次に、ノズルキャップ５の外れ防止構造を説明する。前記ノズルキャップ５は金属板の打ち抜きプレス成形によって形成された馬蹄形をなし、ライター本体２と同じ幅で外側面と平行に延びる両側の側壁５１と、これを連結する湾曲した前壁５２と、上面を形成する天面５３とを有し、後方部分は後面が開放し、両側壁５１は内側に狭まる方向に弾性が与えられ、ライター本体２の支柱３に外側から嵌合して係止する。
【００１６】
ノズルキャップ５の上面となる天面５３は、前記両側壁５１および前壁５２の上端から内方に屈曲して延設されてなり、該天面５３にはノズルの上方に円形状の火口５４が開口され、この火口５４によって炎を上方に導出する。さらに、この火口５４より後方部分の天面５３には、中央に天面隙間５５が設けられて拡開変形可能に弾性が付与されている。その他側壁５１および前壁５２には空気穴５６が開口形成されている。
【００１７】
さらに、前記ノズルキャップ５には、両側の側壁５１の下部側に、内方に突出形成された係合部６が設けられている。この側方の係合部６の下端部は側壁５１との接合部分から内方および上方に向いた傾斜面６１に形成され、上部が側壁５１と略平行に設けられ、上端６２が前後方向に延びて設けられている。
【００１８】
一方、前記ライター本体２の支柱３の外面には、前記ノズルキャップ５の係合部６が係止する矩形凹状の係合受け部７が設けられており、この係合受け部７は上端が前記係合部６の上端６２と係止可能に設けられ、両者の係合状態においてはノズルキャップ５の上方および前後方向への移動を規制する。
【００１９】
また、前記ノズルキャップ５の両側壁５１の後端縁が内側に屈曲されて、内方に突出する左右フランジ部５７が設けられている。このフランジ部５７は、前記ライター本体２の支柱３の後面に沿うように形成され、該左右フランジ部５７の下端部には、さらに下方に延びる係止部８がそれぞれ設けられている。この下端の係止部８は、ライター本体２の外壁２１の上端部の内側に係止するよう下方に延びるもので、その先端部の角部は斜面８１に形成されている。
【００２０】
前記ライター本体２の後部側の上端周縁部は、薄い外壁２１が上方に延設され、前記支柱３の後方部分における外壁２１の上端内縁に、前記係止部８が係止してノズルキャップ５の側壁５１の拡開変形を阻止するものである。なお、上記係止部８が係止する部分の外壁２１の上端内角部は面取られてテーパ面２２に設けられている。
【００２１】
上記のようなノズルキャップ５のライター本体２の上部への取り付けは、まず、図２（Ａ）に示す分離状態から、ノズルキャップ５の下端部をライター本体２の外形に合わせると共に、後端のフランジ部５７を支柱３の後面に沿うように上方から押し下げると、図２（Ｂ）のようにノズルキャップ５における両側壁５１の係合部６の下部傾斜面６１が支柱３の上端部に当接し、これをさらに押し下げると、下部傾斜面６１に沿って側壁５１が若干広がるように変形しつつ、係合部６が支柱３の側面に沿って下方に移動する。そして、図２（Ｃ）のようにフランジ部５７の下端係止部８の先端斜面８１がライター本体２の外壁２１上端の内角部のテーパ面２２に当接する。
【００２２】
これに続いてさらにノズルキャップ５を押し下げると、図３（Ａ）のように前記係止部８が外壁２１の内側に入り込むように、ノズルキャップ５の天面隙間５５を拡大しつつ側壁５１の上部がさらに外側に拡開変形する。そして、図３（Ｂ）のように押し下げの最終段階で両側壁５１の係合部６が支柱３の係合受け部７の内部に進入すると、両側壁５１の内側への弾性力によって係合部６が係合受け部７内に嵌入して係合し、両側壁５１の外側への変形が低減してこの側壁５１の外面がライター本体２の側面と連続するような状態に装着され、取り付けが完了する。
【００２３】
組み付け状態においては、ノズルキャップ５の側壁５１の下端部がライター本体２に当接してそれ以上の下降移動が阻止されると共に、係合部６の上端６２が係合受け部７の上端に係止して上方へのノズルキャップ５の移動が阻止され、前後方向の移動についても係合部６と係合受け部７の係合によって阻止され、さらに、ノズルキャップ５の側壁５１の後端下部の両側方への拡開変形については、下端係止部８とライター本体２の外壁２１の上端との係止によって阻止され、このノズルキャップ５が外れるのが有効に防止される。
【００２４】
そして、落下衝撃等によって、ノズルキャップ５の側壁５１が左右に広がるような方向の変形力を受けた場合には、前述の下端係止部８とライター本体２の外壁２１上端内縁との係止によって、特に係合部６の近傍における側壁５１の拡開変形が阻止され、係合部６と係合受け部７との係合が維持でき、堅固なノズルキャップ外れ防止機能が得られる。また、係止部８の係止位置が外部から見えない位置であることで、工具等を使用しての取り外しが困難であり、側壁５１の下端部からこの側壁５１を広げて係合部６の係合を外そうとしても上記下端係止部８の係止により行えず、無理に行えばライターが破損することになり、ノズルキャップ５を取り外してノズル機構の調整等が不能となる。
【００２５】
なお、上記のような実施の形態においては、圧電ユニットを備えるライターの例を示したが、前記支柱３にヤスリ車を回転可能に支承する火花点火式ライターについても適用可能である。
【００２６】
また、ノズルキャップ５の下端係止部８については、フランジ部５７の下端部に設けるようにしているが、側壁５１の下端部に直接延長形成するようにしてもよく、ライター本体２の上端部の内縁に係止すればその他の部分に形成してもよい。さらに、ノズルキャップ５の係合部６とライター本体２の係合受け部７との係合についても、その係合における斜面の形成、凹凸の関係等については、上記実施の形態とは異なる形態に適宜設計変更可能である。
【図面の簡単な説明】
【図１】本発明の一つの実施の形態に係るノズルキャップ外れ防止構造を備えたライターのノズルキャップの装着前後の状態を操作部材等を除去して示す要部斜視図
【図２および図３】図１の例におけるノズルキャップの装着過程を順に示す要部断面正面図
【符号の説明】
１    ライター
２    ライター本体
３    支柱
５    ノズルキャップ
６    係合部
７    係合受け部
８    係止部
２１    外壁
５１    側壁
５３    天面
５７    フランジ部
６１    傾斜面
８１    斜面
【図１】
0003592509.tif 000002
【図２】
0003592509.tif 000003
【図３】
0003592509.tif 000004